(57)【特許請求の範囲】
【請求項１】
複数のリードが接続可能な電気コネクタにおいて、
ハウジングと、
このハウジングに配列される第１列、第２列のコンタクト群と、
前記第１列のコンタクト群のコンタクトの中間部と前記第２列のコンタクト群のコンタクトの中間部との間に配置される先端側の第１のクロストーク低減部と、前記第１列のコンタクト群のコンタクトの後端部と前記第２列のコンタクト群のコンタクトの後端部との間に配置される後端側の第２のクロストーク低減部とを有する導電部材と、
前記ハウジングの後端部に設けられたリード結線補助部材とを備えており、
前記ハウジングは前記第１列のコンタクト群と前記第２列のコンタクト群との間に設けられた挿入孔を有しており、
前記第１列、第２列のコンタクト群のコンタクトは後端部が前記ハウジングの後面から突出しており、
前記リード結線補助部材は、前記第１列、第２列のコンタクト群のコンタクトの後端部と前記リードの先端部から取り出された芯線とを各々半田付けのために支持する第１、第２の支持台と、
この第１、第２の支持台の後端側に前記第１列、第２列のコンタクト群のコンタクトと同一ピッチ間隔で形成され且つ前記リードの先端部を各々挿入して仮止めする複数の第１、第２のリード挿入溝とを有した構成となっており、
前記第１のクロストーク低減部が前記ハウジングの挿入孔内に配置され、前記第２のクロストーク低減部が前記リード結線補助部材の前記第１の支持台及び第１のリード挿入溝と前記第２の支持台及び第２のリード挿入溝との間に配設されるようになっていることを特徴とする電気コネクタ。
【請求項２】
請求項１記載の電気コネクタにおいて、
前記リード結線補助部材が前記ハウジングの後端部に着脱自在に取り付けられており、
前記ハウジングの後端部の幅方向の両端には前記リード結線補助部材を長さ方向に移動自在に案内する一対のガイド手段が設けられていることを特徴とする電気コネクタ。
【請求項３】
請求項２記載の電気コネクタにおいて、
前記ガイド手段及びリード結線補助部材の少なくとも一方には、前記リード結線補助部材がガイド手段に案内され、前記ハウジングの後端部に取り付けられた状態で、当該リード結線補助部材を係止する係止手段が設けられていることを特徴とする電気コネクタ。
【請求項４】
請求項１記載の電気コネクタにおいて、
前記リード結線補助部材の第１、第２の支持台上には、前記第１列、第２列のコンタクト群のコンタクトの後端部を各々案内する複数の第１、第２のガイド溝が前記第１、第２のリード挿入溝と連通するように設けられていることを特徴とする電気コネクタ。
【請求項５】
請求項１記載の電気コネクタにおいて、
前記第１、第２のリード挿入溝は前記リードの先端部を圧入して保持可能なように当該リードの先端部より若干小さい幅寸法を有していることを特徴とする電気コネクタ。
【請求項６】
請求項１記載の電気コネクタにおいて、
前記第１、第２のリード挿入溝はその開放両端部に内側に向けて当該リードの先端部の抜け止めを防止するための返りが形成されていることを特徴とする電気コネクタ。
【請求項７】
請求項１記載の電気コネクタにおいて、
前記ハウジングの外周側面を覆うシールドカバーと、
前記電気コネクタの基端部の全体を保護するケースとを更に備えていることを特徴とする電気コネクタ。
【発明の詳細な説明】
【技術分野】
【０００１】
本発明は複数の第１列、第２列のコンタクトを備えた電気コネクタに関する。
【背景技術】
【０００２】
この種の電気コネクタは、ハウジングの厚み方向の両側に配設された複数の第１列のコンタクトと第２列のコンタクトとの間に金属板を配置し、当該金属板をグランド接続することにより、第１列のコンタクトと第２列のコンタクトとの間のクロストークの発生の低減を図ったものがある（例えば、特許文献１）。
【特許文献１】特開２００５−３２７７０１号公報
【発明の開示】
【発明が解決しようとする課題】
【０００３】
ところが、前記電気コネクタは、第１列のコンタクトの中間部と第２列のコンタクトの中間部との間にのみ金属板が配置されている。換言すると、第１列のコンタクトの後端部と第２列のコンタクトの後端部との間には金属板が配置されていないことから、第１列のコンタクトの後端部及びこれに半田接続されるリードの先端部から取り出された芯線と、第２列のコンタクトの後端部とこれに半田接続されるリードの先端部から取り出された芯線との間のクロストークの発生を低減することができない。
【０００４】
本発明は上記した背景の下で創作されたものであって、その目的とするところは、コンタクトの中間部の間だけでなく、後端部の間のクロストークの発生を低減することが可能な新規な電気コネクタを提供することにある。
【課題を解決するための手段】
【０００５】
本発明に係る電気コネクタは、複数のリードが接続可能なである。この電気コネクタは、ハウジングと、このハウジングに配列される第１列、第２列のコンタクト群と、前記第１列のコンタクト群のコンタクトの中間部と前記第２列のコンタクト群のコンタクトの中間部との間に配置される先端側の第１のクロストーク低減部と、前記第１列のコンタクト群のコンタクトの後端部と前記第２列のコンタクト群のコンタクトの後端部との間に配置される後端側の第２のクロストーク低減部とを有する導電部材と、前記ハウジングの後端部に設けられるリード結線補助部材を備えている。
前記ハウジングは前記第１列のコンタクト群と前記第２列のコンタクト群との間に設けられた挿入孔を有しており、前記第１列、第２列のコンタクト群のコンタクトは後端部が前記ハウジングの後面から突出しており、前記リード結線補助部材は、前記第１列、第２列のコンタクト群のコンタクトの後端部と前記リードの先端部から取り出された芯線とを各々半田付けのために支持する第１、第２の支持台と、この第１、第２の支持台の後端側に前記第１列、第２列のコンタクト群のコンタクトと同一ピッチ間隔で形成され且つ前記リードの先端部を各々挿入して仮止めする複数の第１、第２のリード挿入溝とを有した構成となっており、前記第１のクロストーク低減部が前記ハウジングの挿入孔内に配置され、前記第２のクロストーク低減部が前記リード結線補助部材の前記第１の支持台及び第１のリード挿入溝と前記第２の支持台及び第２のリード挿入溝との間に配設されるようになっている。
【０００６】
このような電気コネクタによる場合、前記第１列のコンタクト群のコンタクトの中間部と前記第２列のコンタクト群のコンタクトの中間部との間に配置される前記第１のクロストーク低減部により、両中間部の間のクロストークの発生を低減することが可能になると共に、前記第１列のコンタクト群のコンタクトの後端部と前記第２列のコンタクト群のコンタクトの後端部との間に配置される前記第２のクロストーク低減部により、両後端部の間のクロストークの発生を低減することが可能になる。よって、コンタクト間での伝送特性のバラツキを抑制することができ、当該電気コネクタの高性能化を図ることが可能になる。
しかも、前記導電部材の第２のクロストーク低減部が前記第１の支持台及び第１のリード挿入溝と前記第２の支持台及び第２のリード挿入溝との間に配設されているので、前記第１列のコンタクト群のコンタクトの後端部及びこれに接続されるリードの芯線と前記第２列のコンタクト群のコンタクトの後端部及びこれに接続されるリードの芯線との間のクロストークの発生を低減することが可能になる。また、リード結線補助部材の第１、第２のリード挿入溝により前記リードの先端部がハウジングの後側に仮止めされる。これと共に、前記リードの先端部から取り出された芯線とハウジングの後面から突出した前記第１列、第２列のコンタクト群のコンタクトの後端部とがリード結線補助部材の第１、第２の支持台上に支持されることから、パルスヒート法等の一括半田付けにより前記芯線と前記コンタクトの後端部とを各々半田接続することができ且つ当該半田接続部の供給半田量の均一化を図ることができる。よって、当該電気コネクタの量産性の向上を図ることが可能なると共に、前記半田接続部の供給半田量が不均一であることを原因とするリード間での伝送特性のバラツキを抑制することができ、当該電気コネクタの高性能化を図ることが可能になる。
【０００９】
前記リード結線補助部材が前記ハウジングの後端部に着脱可能に取り付けられる場合、前記ハウジングの後端部の幅方向の両端にはリード結線補助部材を長さ方向に移動自在に案内する一対のガイド手段が設けられた構成とすることができる。この場合、リード結線補助部材が一対のガイド手段に案内され、前記ハウジングの後端部に取り付けられるので、リード結線補助部材のハウジングへの取り付けが容易となる。よって、組み立てコストの低減を図ることができる。
【００１０】
前記ガイド手段及びリード結線補助部材の少なくとも一方には、前記リード結線補助部材がガイド手段に案内され、前記ハウジングの後端部に取り付けられた状態で、当該リード結線補助部材を係止する係止手段が設けられていることが好ましい。この場合、前記リード結線補助部材が前記ガイド手段にガイドされ前記ハウジングの後端部に取り付けられた状態で、第２の係止手段により係止されるので、前記リード結線補助部材の前記ハウジングの後端部への取り付けが容易になり、組み立てコストの低減を一層図ることができる。また、前記リード結線補助部材が前記ハウジングの後端部から脱落するのを防止することもできる。
【００１１】
前記リード結線補助部材の第１、第２の支持台上には、第１列、第２列のコンタクト群のコンタクトの後端部を各々案内する複数の第１、第２のガイド溝が前記第１、第２のリード挿入溝と連通するように設けられていることが好ましい。この場合、リード結線補助部材がハウジングの後側に装着されると、第１、第２のコンタクト群のコンタクトの後端部が支持台上の第１、第２のガイド溝に入り込んで案内され、第１、第２のリード挿入溝の対向した位置に配置されるので、前記コンタクトの後端部と第１、第２のリード挿入溝に位置決め保持されたリードの芯線との位置合わせを容易に行うことができる。このため、組み立てコストの低減を一層図ることができる。
【００１２】
第１、第２のリード挿入溝は前記リードの先端部を圧入して保持可能なように当該リードの先端部より若干小さい幅寸法を有する構成とすることができる。また、第１、第２のリード挿入溝はその開放両端部に内側に向けて当該リードの先端部の抜け止めを防止するための返りが形成された構成とすることもできる。この場合、リードの先端部が確実に位置決め保持される構成となっているので、半田付けの精度が向上する。
【００１３】
上記電気コネクタは、前記ハウジングの外周側面を覆うシールドカバーと、前記電気コネクタの基端部の全体を保護するケースとを備える構成とすることができる。
【発明を実施するための最良の形態】
【００１４】
以下、本発明の電気コネクタの実施の形態を図面を参照して説明する。図１は同電気コネクタを示す概略図であって、（ａ）が斜視図、（ｂ）が側面図、（ｂ）が平面図、図２は同コネクタの図１（ｃ）中の概略的Ａ−Ａ部分断面図、図３は同コネクタの図２中の模式的Ｂ−Ｂ端面図、図４は同コネクタのハウジング、導電部材及びリード結線補助部材を示す概略的分解斜視図、図５は同コネクタのハウジングの概略図であって、（ａ）がコンタクト及び導電部材が取り付けられた状態の正面図、（ｂ）が背面図、図６は同コネクタの導電部材及びリード結線補助部材を示す概略図であって、（ａ）が斜視図、（ｂ）が分解側面図、図７は同コネクタのリード結線補助部材を示す概略図であって、（ａ）が背面図、（ｂ）がＣ部分拡大図、図８は同コネクタがレセプタクル側コネクタに接続された状態を示す概略的断面図である。
【００１５】
ここに掲げる電気コネクタは、高速信号伝送用のバルクケーブルｃの先端部に取り付けられるディスプレイポートを称されるプラグ側コネクタであって、挿入孔１２を有するハウジング１０と、このハウジング１０の挿入孔１２の上下両側に配設された第１列、第２列のコンタクト群２０ａ、２０ｂと、ハウジング１０の挿入孔１２に挿入され、第１列、第２列のコンタクト群２０ａ、２０ｂの間に配置される導電部材３０と、ハウジング１０の後端部に取り付けられるリード結線補助部材４０と、ハウジング１０の外周面を覆うシールドカバー５０と、ハウジング１０及びシールドカバー５０が収容されるケース６０とを備えている。以下、各構成部品について詳しく説明する。
【００１６】
ハウジング１０は、図１乃至図５に示すように、絶縁性を有する樹脂成型品であって、略直方体の本体部と、この本体部の先端部に設けられた開口１１と、前記本体部の後端部に設けられ且つ開口１１に連通する挿入孔１２と、本体部の開口１１及び挿入孔１２の上下端部に所定間隔を空けて配設された複数の上側、下側コンタクト収容溝１３ａ、１３ｂと、前記本体部の後端面の幅方向の両端に突設された一対のガイド板１４（ガイド手段）と、前記本体部の幅方向の両端部及び一対のガイド板１４に各々設けられた一対のロック端子収容溝１５とを有している。
【００１７】
開口１１は、電子機器等に備えられるレセプタクル側コネクタＲの接続用凸部Ｒ１（図８参照）が挿入される前面開放の略矩形状の穴である。
【００１８】
挿入孔１２は、上述の通り、導電部材３０が挿入される後面開放の略矩形状の穴である。
【００１９】
上側、下側コンタクト収容溝１３ａ、１３ｂは、図２に示すように、ハウジング１０の長さ方向に向けて形成された長尺状の凹部であって、開口１１及び挿入孔１２に連通している。また、上側コンタクト収容溝１３ａと下側コンタクト収容溝１３ｂは、図５に示すように、位相をずらして配置されている。上側、下側コンタクト収容溝１３ａ、１３ｂのピッチ間隔はレセプタクル側コネクタＲの接続用凸部Ｒ１の上下面に設けられた複数の上側、下側コンタクトＲ１１、Ｒ１２のピッチ間隔と同一となっている。
【００２０】
各ガイド板１４の内面には、図４に示すように、一対のガイド凸部１４ａが設けられている。このガイド凸部１４ａがリード結線補助部材４０の幅方向の両端部の一対のガイド凹部４１１に嵌まり込むことにより、リード結線補助部材４０がハウジング１０の本体部の後端部に向けて案内される。
【００２１】
各ロック端子収容溝１５には、略Ｕ字状の金属弾性体であるロック端子７０が挿入され取り付けられる。これにより、ロック端子７０の先端部がロック端子収容溝１５から出没自在となる。
【００２２】
第１列のコンタクト群２０ａは、図２乃至図５に示すように、複数の信号用コンタクト２１ａとグランド用コンタクト２２ａとを有する。信号用コンタクト２１ａ及びグランド用コンタクト２２ａは、先端部が略Ｖ字状に折り曲げられた同一の金属板であって、上側コンタクト収容溝１３ａに収容されることにより、ハウジング１０に幅方向に並べた状態で配列される。この状態で、信号用コンタクト２１ａ及びグランド用コンタクト２２ａは、先端部がハウジング１０の開口１１の上方に位置し、中間部がハウジング１０の挿入孔１２の上方に位置する。信号用コンタクト２１ａ及びグランド用コンタクト２２ａの後端部は、図４に示すように、ハウジング１０の本体部の後面から突出している。前記後端部が、図２に示すように、ケーブルｃ内に組み込まれた複数のリードｃ１から取り出された芯線ｃ１１と半田付けされる結線部となる。
【００２３】
第２列のコンタクト群２０ｂも、複数の信号用コンタクト２１ｂとグランド用コンタクト２２ｂとを有する。信号用コンタクト２１ｂ及びグランド用コンタクト２２ｂは、先端部が略逆Ｖ字状に折り曲げられた同一の金属板であって、下側コンタクト収容溝１３ｂに収容されることにより、ハウジング１０に幅方向に並べた状態で配列される。この状態で、信号用コンタクト２１ｂ及びグランド用コンタクト２２ｂは、先端部がハウジング１０の開口１１の下方に位置し、中間部がハウジング１０の挿入孔１２の下方に位置する。信号用コンタクト２１ｂ及びグランド用コンタクト２２ｂの後端部は、図４に示すように、ハウジング１０の本体部の後面から突出している。前記後端部が、図２に示すように、ケーブルｃ内に組み込まれた複数のリードｃ１から取り出された芯線ｃ１１と半田付けされる結線部となる。
【００２４】
導電部材３０は、図２、図３、図５（ａ）、図６（ａ）及び図６（ｂ）に示されるように、プレス成型により作成される略矩形状の金属板であって、ハウジング１０の挿入孔１２に挿入される先端部（第１のクロストーク低減部）と、リード結線補助部材４０の取付穴４４に嵌合する後端部（第２のクロストーク低減部）とを有している。
【００２５】
導電部材３０の先端部の長さ寸法は、信号用コンタクト２１ａ、２１ｂ及びグランド用コンタクト２２ａ、２２ｂの中間部の長さ寸法と略同じになっている。導電部材３０の後端部の長さ寸法は、信号用コンタクト２１ａ、２１ｂ及びグランド用コンタクト２２ａ、２２ｂの後端部の長さ寸法よりも長くなっている。
【００２６】
導電部材３０の先端部の後方部分には、当該後方部分の一部がカットされ且つ上方に折り曲げられた２つの切り上げ片３１ａ（これが突起状の接地部となる。）と、当該後方部分の一部がカットされ且つ下方に折り曲げられた３つの切り上げ片３１ｂ（これが突起状の接地部となる。）とが設けられている。この切り上げ片３１ａ、３１ｂは交互に配置されており、導電部材３０の先端部がハウジング１０の挿入孔１２に挿入された状態で、グランド用コンタクト２２ａ、２２ｂに接触するようになっている。なお、後方部分の一部をカットする際に、切り上げ片３１ａ、３１ｂとなる部分の端面と前記後方部分に形成される開口の端面との間に大きな隙間が生じないようにしている。即ち、切り上げ片３１ａ、３１ｂの幅寸法が、前記開口の幅寸法とが略同等になるように設定されている。これにより、第１列のコンタクト群２０ａの信号用コンタクト２１ａと第２列のコンタクト群２０ｂの信号用コンタクト２１ｂとの間で発生した信号が前記隙間を通過し、この点で導電部材３０のクロストーク低減効果が小さくなってしまうのを防止している。
【００２７】
また、前記後方部分の幅方向の両端部には一対の係止凸部３２が設けられている。この一対の係止凸部３２を含めた前記後方部分の幅寸法がハウジング１０の挿入孔１２の幅寸法よりも若干大きくなっている。即ち、導電部材３０の先端部がハウジング１０の挿入孔１２に圧入されることにより、一対の係止凸部３２がハウジング１０の挿入孔１２に係止される。この圧入状態で、導電部材３０は、図２に示すように、第１列、第２列のコンタクト群２０ａ、２０ｂの各コンタクトの中間部及び後端部と略平行に対向配置される。
【００２８】
リード結線補助部材４０は、図２、図４及び図６に示すように、絶縁性を有する樹脂成型品であって、略直方体状のベース部４１と、このベース部４１の後端部の上下面上に各々立設された第１、第２の垂直壁部４２ａ、４２ｂと、ベース部４１の先端部の上下面上に設けられた略板状の第１、第２の支持台４３ａ、４３ｂと、ベース部４１の先端面に設けられた略矩形状の取付穴４４とを有する。
【００２９】
ベース部４１の幅方向の両側面には、ハウジング１０の一対のガイド凸部１４ａが挿入される一対のガイド凹部４１１が各々形成されている。このガイド凹部４１１の後端側の上下面には係止凸部４１１１（係止手段）が各々形成されている。上下の係止凸部４１１１の間の距離は、ガイド凸部１４ａの厚み寸法よりも若干小さくなっている。このため、ガイド凸部１４ａがガイド凹部４１１に挿入され、上下の係止凸部４１１１の間に圧入される。これにより、リード結線補助部材４０がハウジング１０の後端部に取り付けられた状態で固定される。なお、ガイド凹部４１１がガイド凸部１４ａに案内されることにより、リード結線補助部材４０をハウジング１０の後端部に装着し易くなり、且つ導電部材３０のハウジング１０の挿入孔１２への挿入及び位置決めも容易になる。
【００３０】
第１の垂直壁部４２ａには、図２、図６及び図７に示すように、信号用コンタクト２１ａ及びグランド用コンタクト２２ａと同一ピッチ間隔でケーブルｃのリードｃ１の先端部を挿入して仮止めする役目を果たす複数の第１のリード挿入溝４２１ａが各々形成されている。第１のリード挿入溝４２１ａは、リードｃ１の先端部を圧入して保持可能なようにリードｃ１の先端部より若干小さい幅寸法を有している。しかも、第１のリード挿入溝４２１ａについては、その開放側の両端部に内側に向けてリードｃ１の先端部の抜け止めを防止するための返り４２２ａ、４２２ａが各々形成されている。
【００３１】
第２の垂直壁部４２ｂには信号用コンタクト２１ｂ及びグランド用コンタクト２２ｂと同一ピッチ間隔でケーブルｃのリードｃ１の先端部を挿入して仮止めする役目を果たす複数の第２のリード挿入溝４２１ｂが設けられている。第２のリード挿入溝４２１ｂは第１のリード溝４２１ａと同一であるため、説明は省略する。
【００３２】
第１の支持台４３ａは、図２及び図６（ａ）に示すように、信号用コンタクト２１ａ及びグランド用コンタクト２２ａの後端部とケーブルｃのリードｃ１の先端部から取り出された芯線ｃ１１とを半田付けするために支持する役目を果たしている。第１の支持台４３ａの面上には、信号用コンタクト２１ａ及びグランド用コンタクト２２ａの後端部を案内する複数の第１のガイド溝４３１ａが第１のリード挿入溝４２１ａに連通して各々形成されている。
【００３３】
第２の支持台４３ｂは、信号用コンタクト２１ｂ及びグランド用コンタクト２２ｂの後端部とケーブルｃのリードｃ１の先端部から取り出された芯線ｃ１１とを半田付けするために支持する役目を果たしている。第２の支持台４３ｂの面上には、信号用コンタクト２１ｂ及びグランド用コンタクト２２ｂの後端部を案内する複数の第２のガイド溝４３１ｂが第２のリード挿入溝４２１ｂに連通して各々形成されている。
【００３４】
取付穴４４の奥行き寸法は、図２に示すように、ベース部４１の先端面から第１の垂直壁部４２ａと第２の垂直壁部４２ｂとの間までの寸法となっている。このため、取付穴４４に導電部材３０の後端部が嵌合した状態で、当該後端部が第１の支持台４３ａ及び第１のリード挿入溝４２１ａと第２の支持台４３ｂ及び第２のリード挿入溝４２１ｂとの間に配置される。即ち、導電部材３０の後端部が信号用コンタクト２１ａ及びこれに半田接続されるケーブルｃのリードｃ１の芯線ｃ１１と、信号用コンタクト２１ｂ及びこれに半田接続されるケーブルｃのリードｃ１の芯線ｃ１１との間に配置され、これにより両者間のクロストークの発生を低減している。
【００３５】
シールドカバー５０は、図１及び図２に示すように、ハウジング１０の外周側面を覆う直方筒状体のシェルである。その先端側上面の両側には、ロック端子７０の先端部が挿入される一対の穴５１と、レセプタクル側コネクタＲの係止部が係止される係止穴５２とが各々形成されている。
【００３６】
ケース６０は、シールドカバー５０の基端部を保護するモールド樹脂成型体である。ケース６０の上面には、前記レセプタクル型コネクタとのロック／ロック解除を切り換えるための押しボタン６１が設けられている。即ち、ケース６０内において押しボタン６１がロック端子７０の基端部に連結されており、これを通じてロック端子７０の先端部が上下移動するようになっている。
【００３７】
以上のような構成部品を有する電気コネクタは次のように組み立てられる。まず、信号用コンタクト２１ａ及びグランド用コンタクト２２ａをハウジング１０の上側コンタクト収容溝１３ａに圧入する。同様に、信号用コンタクト２１ｂとグランド用コンタクト２２ｂをハウジング１０の下側コンタクト収容溝１３ｂに圧入する。すると、信号用コンタクト２１ａ及びグランド用コンタクト２２ａの後端部がハウジング１０の本体部の後面から突出し、信号用コンタクト２１ｂ及びグランド用コンタクト２２ｂの後端部がハウジング１０の本体部の後面から突出する。このようにして信号用コンタクト２１ａ及びグランド用コンタクト２２ａと、信号用コンタクト２１ｂ及びグランド用コンタクト２２ｂとがハウジング１０の挿入孔１２の上下両側に位相をずらして千鳥状に配設される。
【００３８】
その後、導電部材３０の後端部をリード結線補助部材４０の取付穴４４に嵌合させる。そして、導電部材３０の先端部をハウジング１０の挿入孔１２に挿入すると共に、リード結線補助部材４０の一対のガイド凹部４１１にハウジング１０の一対のガイド凸部１４ａを挿入する。すると、導電部材３０の切り上げ片３１ａ、３１ｂがグランド用コンタクト２２ａ、２２ｂに各々接触する。これにより、導電部材３０とグランド用コンタクト２２ａ、２２ｂが電気的に接続される。
【００３９】
このとき、導電部材３０の一対の係止凸部３２が挿入孔１２の両側面の間に圧入されると共に、一対のガイド凸部１４ａがリード結線補助部材４０の一対のガイド凹部４１１の上下の係止凸部４１１１の間に圧入される。これにより、導電部材３０の先端部がハウジング１０の挿入孔１２内に位置固定され、信号用コンタクト２１ａ及びグランド用コンタクト２２ａの中間部と、信号用コンタクト２１ｂ及びグランド用コンタクト２２ｂの中間部との間に配置されると共に、リード結線補助部材４０がハウジング１０の後端部に取り付けられた状態で固定される。
【００４０】
このとき、ハウジング１０の本体部の後面から突出した信号用コンタクト２１ａ及びグランド用コンタクト２２ａの後端部がリード結線補助部材４０の第１のガイド溝４３１ａに各々挿入され、第１の支持台４３ａ上に配置される。これと共に、信号用コンタクト２１ｂ及びグランド用コンタクト２２ｂの後端部がリード結線補助部材４０の第２のガイド溝４３１ｂに各々挿入され、第２の支持台４３ｂ上に配置される。
【００４１】
その後、ケーブルｃの各リードｃ１の先端部から芯線ｃ１１を取り出す。そして、リードｃ１の先端部をリード結線補助部材４０の第１、第２のリード挿入溝４２１ａ、４２１ｂに各々圧入し、各リードｃ１の芯線ｃ１１を第１、第２の支持台４３ａ、４３ｂ上に配置する。
【００４２】
その後、信号用コンタクト２１ａ及びグランド用コンタクト２２ａとリードｃ１の芯線ｃ１１とが第１の支持台４３ａ上で、信号用コンタクト２１ｂ及びグランド用コンタクト２２ｂとリードｃ１の芯線ｃ１１とが第２の支持台４３ｂ上で、パルスヒート法等により各々一括で半田付けされる。これにより、導電部材３０の後端部が、信号用コンタクト２１ａ、グランド用コンタクト２２ａの後端部及びこれらに半田接続される芯線ｃ１１と、信号用コンタクト２１ｂ、グランド用コンタクト２２ｂの後端部及びこれらに半田接続される芯線ｃ１１との間に位置することになる。
【００４３】
この状態のハウジング１０をシールドカバー５０に挿入する。そして、当該シールドカバー５０の基端部をケース６０でモールドする。
【００４４】
このように組み立てられた電気コネクタは次のように使用される。まず、電気コネクタの開口１１にレセプタクル側コネクタＲの接続用凸部Ｒ１を挿入させる。すると、図８に示すように、電気コネクタの信号用コンタクト２１ａ及びグランド用コンタクト２２ａの先端部が接続用凸部Ｒ１に上方に押圧され、上側コンタクトＲ１１に各々弾性接触する。これと共に、信号用コンタクト２１ｂ及びグランド用コンタクト２２ｂの先端部が接続用凸部Ｒ１に下方に押圧され、下側コンタクトＲ１２に各々弾性接触する。これにより、リードｃ１及び信号用コンタクト２１ａ、２１ｂが信号用の上側、下側コンタクトＲ１１、Ｒ１２を介して上記電子機器等の基板の電極パターンに接続され、導電部材３０及びグランド用コンタクト２２ａ、２２ｂがグランド用の上側、下側コンタクトＲ１１、Ｒ１２を介して前記基板のグランドパターンに接続される。
【００４５】
以上のような電気コネクタによる場合、導電部材３０の先端部がハウジング１０の挿入孔１２に挿入され、信号用コンタクト２１ａ及びグランド用コンタクト２２ａの中間部と信号用コンタクト２１ｂ及びグランド用コンタクト２２ｂの中間部との間に配置されていることから、信号用コンタクト２１ａの中間部と信号用コンタクト２１ｂの中間部との間のクロストークの発生を低減することができる。また、導電部材３０の後端部がリード結線補助部材４０の取付穴４４に嵌合することにより、信号用コンタクト２１ａの後端部、グランド用コンタクト２２ａの後端部及びこれらの後端部に半田接続される上側のリードｃ１の芯線ｃ１１と、信号用コンタクト２１ｂの後端部、グランド用コンタクト２２ｂの後端部及びこれらの後端部に半田接続される下側のリードｃ１の芯線ｃ１１との間に配置される。よって、導電部材３０の後端部により、信号用コンタクト２１ａの後端部及び上側のリードｃ１の芯線ｃ１１と、信号用コンタクト２１ｂの後端部及び下側のリードｃ１の芯線ｃ１１との間のクロストークの発生も低減することができる。
【００４６】
しかも、導電部材３０の切り上げ片３１ａ、３１ｂがグランド用コンタクト２２ａ、２２ｂを介して前記基板のグランドパターンに接続されていることから、上記クロストークの低減効果を一層向上させることができる。また、グランド用コンタクト２２ａが所定の本数毎に信号用コンタクト２１ａの間に配置され且つグランド用コンタクト２２ｂが所定の本数毎に信号用コンタクト２１ｂの間に配置されることから、信号用コンタクト２１ａ間のクロストークの発生の低減及び信号用コンタクト２１ｂ間のクロストークの発生の低減も図ることができる。なお、グランド用コンタクト２２ａ、２２ｂの位置及び／又は数を可変することにより、当該電気コネクタの製品毎に応じた最適なグランド接続を図ることが可能になる。
【００４７】
更に、導電部材３０をハウジング１０の挿入孔１２に挿入するだけで、導電部材３０の切り上げ片３１ａ、３１ｂがグランド用コンタクト２２ａ、２２ｂに接触するようになっている。このため、前記電気コネクタがレセプタクル側コネクタＲに接続され、グランド用コンタクト２２ａ、２２ｂがグランド用の上側、下側コンタクトＲ１１、Ｒ１２に各々接触することにより、導電部材３０及びグランド用コンタクト２２ａ、２２ｂを一度に前記基板のグランドパターンに接続することができる。よって、導電部材３０をグランド接続するために、導電部材３０をハウジング１０外に導出させる必要がなく、この点で前記電気コネクタの構成の簡単化を図ることができる。
【００４８】
また、リード結線補助部材４０の第１、第２のリード挿入溝４２１ａ、４２１ｂによりケーブルｃのリードｃ１の先端部がハウジング１０の後側に仮止めされると共に、リードｃ１の先端部から取り出された芯線ｃ１１とハウジング１０の後面から突出した信号用コンタクト２１ａ、２１ｂ及びグランド用コンタクト２２ａ、２２ｂの後端部とがリード結線補助部材４０の第１、第２の支持台４３ａ、４３ｂ上に支持された状態で、パルスヒート法等の一括半田付けされる。このため、前記電気コネクタの組み立てが容易になり、量産性の向上を図ることが可能になる。
【００４９】
また、ケーブルｃのリードｃ１の先端部が返り４２２ａ、４２２ｂにより第１、第２のリード挿入溝４２１ａ、４２１ｂから簡単に抜けるのを防止されるだけでなく、第１、第２のリード挿入溝４２１ａ、４２１ｂに圧入保持されるようになっている。よって、リードｃ１の先端部がリード結線補助部材４０上で確実に位置決めされ、これに伴って半田付けの精度が非常に高くなる。それ故、本電気コネクタの伝送特性の向上による高性能化を図ることが可能になる。
【００５０】
更に、ハウジング１０の挿入孔１２に導電部材３０が挿入されることから、ハウジング１０の撓み防止となる。加えて、リード結線補助部材４０がハウジング１０の一対のガイド板１４の内側に配置されているので、当該ガイド板１４が補強される。それ故、電気コネクタ全体の機械的強度が向上し、これに伴って小型薄型化を図ることもが可能となる。
【００５１】
なお、上述した電気コネクタについては、特許請求の範囲の趣旨に適う限り、任意に設計変更することが可能である。以下、各構成部品の設計変更について詳しく述べる。
【００５２】
ハウジング１０については、第１列、第２列のコンタクト群が配設可能なものである限り、任意に設計変更可能である。従って、ハウジングに２列以上のコンタクト群が配列されるように設計変更することができる。
【００５３】
一対のガイド板１４の内面には、ガイド凸部１４ａが設けられているとしたが、ガイド凹部を設けることも可能である。この場合、リード結線補助部材４０のベース部４１の両端部にガイド凸部を設けるようにすれば良い。ガイド板１４は板状体以外の形状とすることが可能である。また、ガイド板は省略することが可能である。この場合、導電部材３０をハウジング１０の挿入孔１２に嵌合させることにより、リード結線補助部材４０をハウジング１０の後端部に取り付ける等の別の取付手段により取り付ければ良い。
【００５４】
導電部材３０については、第１列、第２列のコンタクト群の間に配置されるものである限り、どのようなものを用いても良い。また、コンタクト群が３列以上ある場合には、導電部材３０を２以上設け、各列のコンタクト群の間に配置するようにすれば良い。
【００５５】
また、導電部材３０は金属板であるとしたが、これに限定されるものではない。例えば、導電部材として樹脂等の非導電材に蒸着等により金属体で被覆したものを用いることができる。
【００５６】
また、前記導電部材は、前記グランド用コンタクトに接触し、グランド接続されている必要はない。単に、導電部材を第１、第２のコンタクト群の間に配置するだけでも、両者間のクロストークの低減を図ることができる。
【００５７】
前記導電部材をグランド用コンタクトに接触させる場合には、第１列、第２列のコンタクト群中の少なくとも一つのグランド用コンタクトに接触していれば良い。勿論、第１列、第２列のコンタクト群中の全てのグランド用コンタクトに接続されていても良い。
【００５８】
また、導電部材３０は前記グランド用コンタクトに接触する接地部として切り上げ片３１ａ、３１ｂを用いるとしたが、これに限定されるものではない。例えば、前記接地部としては、板状の導電部材に凸状の金属体を溶接等で接続したもの、前記非導電材に突起を設け、当該突起を金属体で被覆したものや前記導電部材又は金属体とグランド用コンタクトとを接続するリード線等の電気接続手段を用いることができる。なお、前記導電部材に前記接地部を設けず、前記導電部材の本体を前記グランド用コンタクトに直接接触させるようにしても構わない。
【００５９】
切り上げ片３１ａ、３１ｂは、そのバネ性を向上させ、接地を重視することができる。例えば、導電部材３０のクロストークの低減効果に影響を与えない場合には、切り上げ片の幅寸法を当該切り上げ片が切り出された導電部材の開口の幅寸法よりも小さくすることにより、切り上げ片を上下に弾性変形可能な構成とすることができる。
【００６０】
導電部材３０は、幅方向の両端部に一対の係止凸部３２が設けられているとしたが、これを設けるか否かは任意である。また、前記係止凸部はハウジング１０の挿入孔１２の幅方向の側面に設けることが可能であり、導電部材及びハウジング１０の挿入孔１２の幅方向の側面の双方に設けることが可能である。更に、前記係止凸部に代えて、係止凸部と係止凹部を組み合わせたもの等その他の周知の係止手段を採用することが可能である。
【００６１】
更に、導電部材はハウジングの挿入孔に挿入されるものに限定されるわけではなく、ハウジングを成型する際に導電部材をインサート成型等によりハウジング内の挿入孔内に配置するようにしても良い。また、前記導電部材はリード結線補助部材に取り付けられている必要はなく、別体とすることが可能である。
【００６２】
また、導電部材３０は、先端部全体が第１のクロストーク低減部、後端部全体が第２のクロストーク低減部であるとしたが、これに限定されるものではない。即ち、前記第１のクロストーク低減部は導電部材の先端側に、前記第２のクロストーク低減部は前記導電部材の後端側に設けられていれば良い。なお、導電部材３０の先端部を延長し、第１、第２のコンタクト群のコンタクトの先端部の間に配置するように設計変更することが可能である。
【００６３】
上記コンタクトは、後端部がリードの芯線に半田接続される結線部であるとしたが、これに限定されるものではない。後述するように、電気コネクタが、ケーブルが接続されるタイプ以外のプラグ側コネクタやレセプタクル型コネクタである場合には、コンタクトの後端部を基板のパターン等の接続対象に接続するようにすれば良い。前述の通り、導電部材がグランド用コンタクトに接触しない場合には、当該グランド用コンタクトを省略することが可能である。また、導電部材がグランド用コンタクトに接触する場合には、少なくとも一本のグランド用コンタクトが第１、第２のコンタクト群に含まれていれば良い。
【００６４】
リード結線補助部材４０については、第１列、第２列のコンタクト群のコンタクトの後端部とリードの先端部から取り出された芯線とを各々半田付けのために支持する第１、第２の支持台と、この第１、第２の支持台の後端側に前記第１列、第２列のコンタクト群のコンタクトと同一ピッチ間隔で形成され且つ当該リードの先端部を各々挿入して仮止めする複数の第１、第２のリード挿入溝とを有する構成である限り、任意に設計変更することが可能である。また、リード結線補助部材４０は、ハウジング１０の後端部に一体的に設けることも可能である。なお、リード結線補助部材４０は、省略することが可能であり、特に電気コネクタが後述するケーブルが接続されるタイプではないプラグ側コネクタやレセプタクル型コネクタである場合には不要である。
【００６５】
第１、第２のリード溝４２１ａ、４２１ｂの形状についてはリードが挿入され位置決め可能なものである限り任意に設計変更することが可能である。第１、第２のガイド溝４３１ａ、４３１ｂの形状も同様である。なお、第１、第２のガイド溝４３１ａ、４３１ｂは省略することが可能である。
【００６６】
係止凸部４１１１は、前記リード結線補助部材がガイド手段に案内され、前記ハウジングの後端部に取り付けられた状態で、当該リード結線補助部材を係止する係止手段であるとしたが、これに限定されるものではない。例えば、ガイド板１４のガイド凸部１４ａに前記係止凸部を設けても良いし、ガイド凸部１４ａ及びリード結線補助部材４０のガイド凹部４１１の双方に前記係止凸部を設けるようにしても良い。なお、ガイド手段及びリード結線補助部材のガイド凸部１４ａ及びガイド凹部４１１以外の部分に前記第２の係止手段を設けることも可能である。なお、当該第２の係止手段は係止凸部と係止凹部を組み合わせたもの等その他の周知の係止手段を採用することが可能である。
【００６７】
なお、本発明に係る電気コネクタは、各構成部品の種類、形状、材質及びピン数等については上記実施形態に限定されない。また、前記電気コネクタは、ディスプレイポート等のプラグ側コネクタに限定されるものではなく、ケーブルが接続されるタイプではないプラグ側コネクタやレセプタクル型コネクタについても同様に適用可能である。ケーブルｃはバルクケーブルに限定されるものではなく、その他同様のケーブルが接続可能である。
【図面の簡単な説明】
【００６８】
【図１】本発明の実施の形態に係る電気コネクタを示す概略図であって、（ａ）が斜視図、（ｂ）が側面図、（ｂ）が平面図である。
【図２】同コネクタの図１（ｃ）中の概略的Ａ−Ａ部分断面図である。
【図３】同コネクタの図２中の模式的Ｂ−Ｂ端面図である。
【図４】同コネクタのハウジング、導電部材及びリード結線補助部材を示す概略的分解斜視図である。
【図５】同コネクタのハウジングの概略図であって、（ａ）がコンタクト及び導電部材が取り付けられた状態の正面図、（ｂ）が背面図である。
【図６】同コネクタの導電部材及びリード結線補助部材を示す概略図であって、（ａ）が斜視図、（ｂ）が分解側面図である。
【図７】同コネクタのリード結線補助部材を示す概略図であって、（ａ）が背面図、（ｂ）がＣ部分拡大図である。
【図８】同コネクタがレセプタクル側コネクタに接続された状態を示す概略的断面図である。
【符号の説明】
【００６９】
１０  ハウジング
２０ａ  第１のコンタクト群
２１ａ  信号用コンタクト
２２ａ  グランド用コンタクト
２０ｂ  第２のコンタクト群
２１ｂ  信号用コンタクト
２２ｂ  グランド用コンタクト
３０  導電部材
３１ａ、３１ｂ  切り上げ片（接地部）
３２  係止凸部
４０  リード結線補助部材
４１１１  係止凸部（係止手段）
５０  シールドカバー
６０  ケース
７０  ロック端子
ｃ  ケーブル
ｃ１  リード
ｃ１１  芯線
Ｒ  レセプタクル側コネクタ
【図１】
0005044483.tif 000002
【図２】
0005044483.tif 000003
【図３】
0005044483.tif 000004
【図５】
0005044483.tif 000005
【図６】
0005044483.tif 000006
【図７】
0005044483.tif 000007
【図４】
0005044483.tif 000008
【図８】
0005044483.tif 000009